(57)【特許請求の範囲】
【請求項１】
円盤状の文字板の外周に沿うようにして配置されるリング状部材を有する計器であって、
前記リング状部材は円弧状に形成され、該円弧状の両端部を近づける方向に撓ませることができる弾性を有し、
該リング状部材には複数の係合部が配設されており、
該リング状部材が取り付けられる部材又は該計器のケースには前記複数の係合部とそれぞれ係合する複数の係合受部が配設され、
前記複数の係合部は、前記リング状部材の裏面側から外側に向けて延びるようにして配設された複数の突起であり、
前記複数の係合受部は、前記リング状部材が取り付けられる部材又は前記計器のケースに配設された前記複数の突起とそれぞれ係合する複数の突起受であり、
前記複数の係合部のうちの少なくともひとつは、前記リング状部材の円弧の頂点に相当する部位に設けられており、
前記複数の突起は、前記リング状部材を円弧状の両端部を近づける方向に撓ませて、それぞれ対応する前記複数の突起受に挿入された後、前記リング状部材を開放することにより前記突起受に係合される、
ことを特徴とする計器。
【請求項２】
請求項１記載の計器において、
該リング状部材と同等の大きさのリング状の導光体を更に有し、該導光体の上面部には前記複数の突起受が設けられており、前記リング状部材は該導光体を覆うようにして該導光体に取り付けられる、
ことを特徴とする計器。
【請求項３】
請求項２記載の計器において、
前記文字板は前記導光体の内径と同等の外径のリング状の枠体を含んでおり、該枠体が該導光体に囲まれるようにして該文字板が該導光体の内側に取り付けられ、該枠体には前記複数の突起と前記複数の突起受との嵌合に干渉しないように切り欠かれた複数の溝が設けられている、
ことを特徴とする計器。
【請求項４】
請求項３記載の計器において、
前記導光体の下面には下方に延びるようにして複数の受光部が分散的に突設されており、該導光体が載置される前記計器のケースのリング状受部には前記複数の受光部がはめ込み可能に陥没した導光体用光源を収容する複数の光源収容部が設けられている、
ことを特徴とする計器。
【発明の詳細な説明】
【技術分野】
【０００１】
本発明は、車両等に搭載される計器に関し、特に、文字板の外周に沿うようにして配置されるリング状部材を有する計器に関する。
【背景技術】
【０００２】
図４は、この種の従来の計器を示す正面図である。図５は、図４におけるＸＸ線断面図である。計器９はコンビネーションメータともよばれ、図４及び図５に示すように、速度計９１、エンジン回転計９２、燃料計９３、水温計９４等の各ゲージを備えている。これら各ゲージは、指針９５及び指針９５にて指示される数字等の意匠が形成された円盤状の文字板９６を備えている。なお、速度計９１には、オド・トリップメータ９１１も組み込まれている。指針９５は、基板９０に搭載されたムーブメント９５１の回転軸が挿着され、速度信号等の各計測値に応じた角度だけ回転して数字等の意匠を指示する。基板９０には、文字板９６や指針９５に光を出射する光源９０１や図示しないＩＣチップ等の電子部品が搭載されている。光源９０１からの光を有効利用するために、この計器９の本体ケース９９の一部には、反射面９９１が形成されている。
【０００３】
また、各ゲージのうち、速度計９１及びエンジン回転計９２には、円盤状の文字板９６を周回するようなリング状をした装飾用のリング状部材９７が取り付けられている。リング状部材９７の下面には、本体ケース９９に穿設された複数のリング状部材固定孔９９４に挿通される複数のピン状突起９７１が立設されている。複数のピン状突起９７１の先端は溶着されて、リング状部材９７が本体ケース９９に固定されている。
【０００４】
なお、計器９の前面側（ドライバの視点に近い側）は、上記各ゲージやシフトインジケータ９６１、ウォーニング９６２をくり抜くようにして、黒色樹脂製の見返し９８で覆われ、更に、その前面側は、スモーク状の表ガラス９８１で覆われている。また、計器９の本体ケース９９の外周部には、この計器を車両側に取り付けるためのメータ取付片９９２が設けられ、本体ケース９９の裏面側には、裏カバー９９３が取り付けられている。
【特許文献１】特開２００５−７７２０８号公報
【発明の開示】
【発明が解決しようとする課題】
【０００５】
しかしながら、従来の計器においては、リング状部材９７を固定するために溶着作業が必要であった。したがって、従来の計器においては、溶着用の装置が必要となるうえに作業性もよくなかった。
【０００６】
また、特許文献１に示される従来の計器のリング構造においては、複数の係合爪及び係合受を備えることによって溶着作業を不要としているが、位置決めが困難であり、作業性があまりよくなかった。
【０００７】
よって本発明は、上述した現状に鑑み、リング状部材の取り付け時の作業性を大幅に向上させることができる計器を提供することを課題としている。
【課題を解決するための手段】
【０００８】
上記課題を解決するためになされた請求項１記載の計器は、円盤状の文字板の外周に沿うようにして配置されるリング状部材を有する計器であって、前記リング状部材は円弧状に形成され、該円弧状の両端部を近づける方向に撓ませることができる弾性を有し、該リング状部材には複数の係合部が配設されており、
該リング状部材が取り付けられる部材又は該計器のケースには前記複数の係合部とそれぞれ係合する複数の係合受部が配設され、前記複数の係合部は、前記リング状部材の裏面側から外側に向けて延びるようにして配設された複数の突起であり、前記複数の係合受部は、前記リング状部材が取り付けられる部材又は前記計器のケースに配設された前記複数の突起とそれぞれ係合する複数の突起受であり、前記複数の係合部のうちの少なくともひとつは、前記リング状部材の円弧の頂点に相当する部位に設けられており、前記複数の突起は、前記リング状部材を円弧状の両端部を近づける方向に撓ませて、それぞれ対応する前記複数の突起受に挿入された後、前記リング状部材を開放することにより前記突起受に係合される、ことを特徴とする。
【０００９】
請求項１記載の発明によれば、リング状部材の取り付け時には、円弧状のリング状部材を外側から内側に押し縮めるようにして保持しつつ、リング状部材の裏面側の複数の突起をリング状部材が取り付けられる部材や計器のケースに設けられた複数の突起受に位置合わせした後、押し縮めていたリング状部材の保持を開放する。これによって、リング状部材の複数の突起と受け側の突起受とが嵌合して、リング状部材を所定位置に確実に取り付けることができる。また、複数の係合部のうちの少なくともひとつはリング状部材の円弧の頂点に相当する部位に設けられているので、リング状部材の位置合わせが容易になる。
【００１２】
上記課題を解決するためになされた請求項２記載の計器は、請求項１記載の計器において、該リング状部材と同等の大きさのリング状の導光体を更に有し、該導光体の上面部には前記複数の突起受が設けられており、前記リング状部材は該導光体を覆うようにして該導光体に取り付けられる、ことを特徴とする。
【００１３】
請求項２記載の発明によれば、リング状部材の弾性を利用して、リング状部材の複数の突起と導光体の突起受とが嵌合して、リング状部材を導光体に確実に取り付けることができる。
【００１４】
上記課題を解決するためになされた請求項３記載の計器は、請求項２記載の計器において、前記文字板は前記導光体の内径と同等の外径のリング状の枠体を含んでおり、該枠体が該導光体に囲まれるようにして該文字板が該導光体の内側に取り付けられ、該枠体には前記複数の突起と前記複数の突起受との嵌合に干渉しないように切り欠かれた複数の溝が設けられている、ことを特徴とする。
【００１５】
請求項３記載の発明によれば、文字板は導光体の内径と同等の外径のリング状の枠体を含んでいるので、文字板を導光体の内側に安定的に取り付けることができる。また、枠体に設けられた複数の溝によって、枠体の一部がリング状部材の突起と導光体の突起受との嵌合に干渉することもない。
【００１６】
上記課題を解決するためになされた請求項４記載の計器は、請求項３記載の計器において、前記導光体の下面には下方に延びるようにして複数の受光部が分散的に突設されており、該導光体が載置される前記計器のケースのリング状受部には前記複数の受光部がはめ込み可能に陥没した導光体用光源を収容する複数の光源収容部が設けられている、ことを特徴とする。
【００１７】
請求項４記載の発明によれば、導光体の下面には複数の受光部が分散的に突設されており、計器のケースのリング状受部には複数の受光部がはめ込み可能に陥没した複数の光源収容部が設けられているので、構成を複雑化することなく、導光体のケースへの取り付けも容易になる。
【発明の効果】
【００２１】
請求項１記載の発明によれば、リング状部材の弾性を利用して、リング状部材の複数の突起と受け側の突起受とが嵌合して、リング状部材を所定位置に確実に取り付けることができる。したがって、リング状部材の取り付け時の作業性がより一層向上する。また、複数の係合部のうちの少なくともひとつはリング状部材の円弧の頂点に相当する部位に設けられているので、リング状部材の位置合わせが容易になる。したがって、リング状部材の取り付け時の作業性が更に向上する。
【００２２】
請求項２記載の発明によれば、リング状部材の弾性を利用して、リング状部材の複数の突起と導光体の突起受とが嵌合して、リング状部材を導光体に確実に取り付けることができる。したがって、リング状部材の導光体への取り付け時の作業性が大幅に向上する。
【００２３】
請求項３記載の発明によれば、文字板は導光体の内径と同等の外径のリング状の枠体を含んでいるので、文字板を導光体の内側に安定的に取り付けることができる。また、枠体に設けられた複数の溝によって、枠体の一部がリング状部材の突起と導光体の突起受との嵌合に干渉することもない。したがって、リング状部材の取り付け時の作業性が大幅に向上すると共に、文字板の安定性も向上する。
【００２４】
請求項４記載の発明によれば、導光体の下面には複数の受光部が分散的に突設されており、計器のケースのリング状受部には複数の受光部がはめ込み可能に陥没した複数の光源収容部が設けられているので、構成を複雑化することなく、導光体のケースへの取り付けも容易になる。したがって、より一層作業性が向上する。
【発明を実施するための最良の形態】
【００２６】
以下、本発明の実施の形態を図面に基づいて説明する。図１は、本発明の実施形態に係る計器の要部を示す分解斜視図である。図１において、計器１は、例えば、図４の従来の計器と同様、車両等に搭載されるコンビネーションメータに適用される。図１は、図４に示したような計器におけるエンジン回転計の部分に対応している。
【００２７】
計器１は、図１に示すように、見返し１１、リング状部材１２、文字板１３、導光体１４、ケース１５、指針１６及び基板１７を含んで構成されている。なお、本明細書中、外側に向かう方向とは指針軸から遠ざかる方向を意味し、内側に向かう方向とはこの逆である。
【００２８】
見返し１１は、例えば黒色の樹脂製であり、エンジン回転計の指示領域に対応した半円状に開口部１１１を有する。見返し１１は、ここでは、開口部１１１からのぞくエンジン回転に関する情報を表示する領域以外を黒色で隠匿している。
【００２９】
リング状部材１２は、弾性を有する有色の樹脂製であり、円盤状の文字板の外周に沿うような円弧状の外形をしている。リング状部材１２の断面はＬ字に近い形状をしている。完全なＬ字でなくてもよくやや曲線的なＬ字の断面であってもよい。リング状部材１２の裏面側からは外側に向けて延びるようにして複数の突起１２１ａ〜１２１ｃが均等間隔で分散的に配設されている。複数の突起１２１ａ〜１２１ｃは、詳しくは、中央部が最も突出した階段状の片状になっている。但し、複数の突起１２１ａ〜１２１ｃは階段状以外の形状であってもよい。
【００３０】
文字板１３は、円盤状の表示部及びこの表示部を周回するようリング状の枠体を含んで構成されている。表示部には、白色や赤色に着色されたエンジン回転数等を示す意匠が形成されている。意匠以外の表示部における領域は黒色で着色されている。表示部の中央部には、指針１６の軸が挿入される孔が穿設されている。リング状の枠体は、低い筒状になっており内壁部位で表示部を保持している。この枠体の外形は、導光体１４の内径と同等になっている。文字板１３の枠体の上面には、複数の溝１３１ａ〜１３１ｃが設けられている。複数の溝１３１ａ〜１３１ｃは、上述の複数の突起１２１ａ〜１２１ｃと後述する複数の突起受１４１ａ〜１４１ｃとの嵌合に干渉しないような位置に設けられている。複数の溝１３１ａ〜１３１ｃに替えて、同じ位置に複数の孔を設けるようにしてもよい。
【００３１】
導光体１４は、導光性を有する透明の樹脂製であり、リング状部材１２と同様に、円弧状の外形をしている。導光体１４の上面には、上記リング状部材１２の突起１２１ａ〜１２１ｃとそれぞれ係合する複数の突起受１４１ａ〜１４１ｃが配設されている。また、導光体１４の下面には、下方に延びるようにして複数の受光部１４２ａ〜１４２ｄが分散的に突設されている。導光体１４は、複数の受光部１４２ａ〜１４２ｄによって複数の光源１５４ａ〜１５４ｄからの光を受けてリング状部材１２を裏面側から照明する。複数の受光部１４２ａ〜１４２ｄは、位置合わせにも用いられるものである。また、導光体１４の下面には、下方に延びるようにして複数のピン状突起１４３ａ〜１４３ｄが分散的に設けられている。複数のピン状突起１４３ａ〜１４３ｄは、位置合わせのために用いられるものである。
【００３２】
後述するが、この導光体１４と上記リング状部材１２及び文字板１３とは組み合わせられ一体化されて、ケース１５に載置される。
【００３３】
ケース１５は、例えば白色の樹脂製であり、上記導光体１４等を受けられるように円形状に掘り下げられたような形状になっている。特に、導光体１４を受ける部位は、リング状の平面になっている。導光体１４を受ける部位における、複数の受光部１４２ａ〜１４２ｄに対応する位置にはそれぞれ、複数の光源収容部１５２ａ〜１５２ｄが掘り下げられるようにして形成されている。複数の光源収容部１５２ａ〜１５２ｄの底面部にはそれぞれ、複数の光源１５４ａ〜１５４ｄが配設されている。光源１５４ａ〜１５４ｄは、例えば発光ダイオードである。また、導光体１４を受ける部位における、複数のピン状突起１４３ａ〜１４３ｄに対応する位置にはそれぞれ、複数の孔１５３ａ〜１５３ｄが穿設されている。
【００３４】
また、ケース１５には、基板１７に搭載された指針用光源１５５から発せられる光を効率的に指針１６に与えることができるように、筒状部１５６も設けられている。筒状部１５６は、ケース１５に一体形成されたお椀型の斜面に連接されて支持されている。
【００３５】
指針１６は、図示しないモータに回転されて、文字板１３に形成されたエンジン回転数等を示す意匠を指示する。指針１６は、上記指針用光源１５５から発せられる光を受けて赤色等で光輝く。
【００３６】
続いて、図２及び図３を加えて、上記リング状部材１２、文字板１３及び導光体１４を一体化する方法について説明する。図２（Ａ）〜図２（Ｃ）は、リング状部材、文字板及び導光体を一体化する方法を説明するための平面図である。図３は、リング状部材側の突起と導光体側の突起受が係合した状態を示す断面図である。
【００３７】
まず、図２（Ａ）に示すように、ケース１５に導光体１４を載置する。このとき、導光体１４側の複数の受光部１４２ａ〜１４２ｄ及び複数のピン状突起１４３ａ〜１４３ｄをそれぞれ、ケース１５側の複数の光源収容部１５２ａ〜１５２ｄ及び複数の孔１５３ａ〜１５３ｄに位置合わせしてケース１５に導光体１４を載置する。次に、文字板１３側の複数の溝１３１ａ〜１３１ｃを、導光体１４側の複数の突起受１４１ａ〜１４１ｃに位置合わせしてケース１５に文字板１３を載置する。
【００３８】
次に、図２（Ｂ）に示すように、リング状部材１２の両端部近傍を図中Ａ２（図１も参照）で示す方向に撓ませて保持しつつ、リング状部材１２側の突起１２１ａを図中Ａ１（図１も参照）で示す方向に導光体１４側の突起受１４１ａに挿入する。
【００３９】
そして、図２（Ｃ）に示すように、撓ませていたリング状部材１２を開放して、リング状部材１２側の突起１２１ｂ及び１２１ｃをそれぞれ、導光体１４側の突起受１４１ｂ及び１４１ｃに係合させる。これによって、図３に示すように、リング状部材１２側の複数の突起１２１ｘ（１２１ａ〜１２１ｃ）のそれぞれの先端部１２１ｙが、導光体１４側の複数の突起受１４１（１４１ａ〜１４１ｃ）とが係合される。これによって、リング状部材１２を導光体１４に容易に確実に取り付けることができる。
【００４０】
また、これにともなって、文字板１３側の複数の溝１３１ａ〜１３１ｃに対しても、複数の突起１２１ａ〜１２１ｃが嵌合する。これによって、文字板１３も容易に安定的に固定することができる。したがって、容易且つ確実に、リング状部材１２、文字板１３及び導光体１４を一体化することができる。
【００４１】
なお、図３において、突起受１４１の受け面Ｄに対して突起１２１ｘが弾性によって押し付けられるように、突起受１４１及び突起１２１ｘの位置関係を設定しておくことが好ましい。こうすることによって、取り付け後の安定性がより向上する。
【００４２】
以上説明したように、本発明の実施形態によれば、非常に簡易な構成でありながら、溶着作業を不要として、リング状部材の取り付け時の作業性を大幅に向上させることができる。また、一体化された後のリング状部材１２、文字板１３及び導光体１４の安定性も非常によい。更に、導光体１４の複数の受光部１４２ａ〜１４２ｄを位置合わせ用に兼用しているので、構成を複雑化することなく、導光体１４を所定位置に載置することができる。
【００４３】
なお、複数の突起受１４１ａ〜１４１ｃを、導光体１４側に替えて、ケース１５側に設けてもよい。また、複数の突起及び突起受の配置を逆にして、リング状部材１２側に複数の突起受を設け、導光体１４又はケース１５側に複数の突起を設けてもよい。更に、複数の突起１２１ａ〜１２１ｃは、リング状部材１２の裏面に替えて、径方向外側に設けてもよい。
【図面の簡単な説明】
【００４４】
【図１】本発明の実施形態に係る計器の要部を示す分解斜視図である。
【図２】図２（Ａ）〜図２（Ｃ）は、リング状部材、文字板及び導光体を一体化する方法を説明するための平面図である。
【図３】リング状部材側の突起と導光体側の突起受が係合した状態を示す断面図である。
【図４】この種の従来の計器を示す正面図である。
【図５】図４におけるＸＸ線断面図である。
【符号の説明】
【００４５】
１  計器
１１  見返し
１２  リング状部材
１３  文字板
１４  導光体
１５  ケース
１６  指針
１７  基板
１２１ａ〜１２１ｃ  突起（係合部又は係合受部）
１３１ａ〜１３１ｃ  溝
１４１ａ〜１４１ｃ  突起受（係合受部又は係合部）
１４２ａ〜１４２ｄ  受光部
１５２ａ〜１５２ｄ  光源収容部
【図１】
0004834381.tif 000002
【図２】
0004834381.tif 000003
【図３】
0004834381.tif 000004
【図４】
0004834381.tif 000005
【図５】
0004834381.tif 000006